(57)【要約】【課題】利用者の顔が逆光により防犯カメラに暗く写ってしまったり、夜間のＡＴＭを持ち去るような犯行の現場が暗く写ってしまうことを防ぐ。【解決手段】ＡＴＭの紙幣入出金口内部１に光源を設け、取り忘れ防止などの目的でＡＴＭに取りつけられている反射鏡３に光を反射させ、利用者の顔を明るく写し出したり、衝撃センサ２に大きな衝撃が加わったときに、紙幣入出金口内部に設けられた、フラッシュ光源から閃光を発することにより、犯罪者の顔や犯行現場を明るく照らし出すことができるため、明確な映像を防犯カメラで撮影することができる。【選択図】  図１
2004178467.tif 000002
【特許請求の範囲】
【請求項１】
現金自動取引装置（以下ＡＴＭ）の入出金口内部に光源を設け、反射鏡を介して利用者の顔を明るく照らし、防犯カメラでより明確な映像を得るための防犯システム。
【請求項２】
ＡＴＭが強い衝撃を受けた際に閃光を発することにより犯行現場を明るく照らし、防犯カメラでより明確な映像を得るための防犯システム。
【請求項３】
ＡＴＭが強い衝撃を受けた際に閃光を発することにより犯罪者を驚かせ、犯罪を防ぐことができる防犯システム。
【発明の詳細な説明】
【０００１】
【発明の属する技術分野】
本発明は、防犯カメラに写る利用者の顔を明るく照らし出し、利用者の顔がより明確に写し出すことができたり、ＡＴＭに強い衝撃が与えられたときに閃光を発したりして、犯罪者やその犯行現場を明確に写し出すことに関するものである。
【０００２】
【従来の技術】
ＡＴＭに取り付けられている防犯カメラの制御は、より幅広い視野を撮影できるようにするため、特許文献１（特開２００１−３２５６４３号公報）のカメラ角度を変化させるような制御を行う発明がされていた。
【０００３】
しかし、多くのＡＴＭでは設置場所の照明や屋外の光が利用者の背面からあたり、ＡＴＭに搭載された防犯カメラで撮影すると、利用者の顔は暗く写ってしまってしまっていた。そのような状態では、犯罪が起きたときに、犯罪者の顔は暗く撮影され、防犯カメラ画像から犯罪者の人相を判断することが難しいという問題があった。
【０００４】
また、ＡＴＭを破壊することによりＡＴＭ内部の現金を持ち去るという犯罪が発生している。
【０００５】
これらの事件の対策として、特許文献２（特開２０００−３２２６２５号公報）にあるように、ＡＴＭに強い衝撃があった際に、ＡＴＭ内の紙幣に特殊インクを噴き付け、犯罪者が盗難した紙幣を使用することを未然に防ぐ発明などがあった。
【０００６】
しかし、犯行を立証するためには犯行の様子が撮影されている防犯カメラの映像が重要となる。
【０００７】
ところが、これらの犯罪は夜間の店舗外ブースに設置されたＡＴＭで起きることが多いため、防犯カメラで犯行現場を撮影しても、ＡＴＭ用に設置されている照明があたりにくい箇所では防犯カメラでの写りが悪くなり、事件解決を妨げていた。
【０００８】
【特許文献１】
特開２００１−３２５６４３号公報
【特許文献２】
特開２０００−３２２６２５号公報
【０００９】
【発明が解決しようとする課題】
ＡＴＭに搭載されている防犯カメラでは利用者などを撮影した際に、外部の日光や照明で逆光となり、利用者の顔が暗く写り、犯罪が起きた際に犯罪者の人相を判別する妨げとなっていた。
【００１０】
また、夜間になると外部の光量が減り、ＡＴＭよりやや離れた位置にいる人物などの様子が写りにくくなる。
【００１１】
これらのように写りにくくなると、防犯カメラの映像をもって判断するときに、犯罪者の顔が暗く写ってしまっていると、犯罪者の確定が難しく、犯罪の解決に妨げになってしまっていた。
【００１２】
よって、本発明では通常は逆光などで人物の人相が暗く写らないよう、光が利用者の顔に当たるようにし利用者の顔を明るく写し出せるようにすることと、ＡＴＭに強い衝撃が加えられた際は閃光を発し、犯罪者の人相が明確にわかるようにこれら光源の点灯の制御を行うシステムを提供する。
【００１３】
【課題を解決するための手段】
入出金口の内部にやや弱い光を発する光源と、強い閃光を発するフラッシュ用光源を設ける。通常は入出金口の蓋が開くと光源からやや弱い光が出るようにする。光源より出力された光は取り忘れ防止のために設けられている反射鏡または、それに相当する反射物に反射し、使用者の顔を照らす。
【００１４】
ＡＴＭ利用者はこの光を取り忘れ防止のために設けられた、入出金口内部の紙幣を照らす光と思うため、監視されているという意識はなく、快適に現金自動取引装置を使用することができる。
【００１５】
また、紙幣入出金口内部にフラッシュ用光源とＡＴＭ下部に強い振動を検知する振動センサを搭載させ、強い振動がＡＴＭに加わったときに入出金口蓋を開き、フラッシュ用光源から強い閃光を発し、この光もまた取り忘れ防止用に搭載されている鏡に反射し、ＡＴＭ近辺を明るく照らす。これにより防犯カメラでＡＴＭ近辺を明確に撮影できるようにする。
【００１６】
さらにこの閃光により犯罪者を驚かせたりし、犯罪を未然に防ぐことができるようにする。
【００１７】
【発明の実施の形態】
以下、本発明の実施の形態を図面により詳細に説明する。
【００１８】
図１は防犯用ライト制御機能搭載ＡＴＭの外観図であり、図２は図１で示したＡＴＭの紙幣入出金口１の内部に光源２１，２５を設け、それらから発せられた光が鏡２２に反射し、利用者の顔２４を照らす様子を示した図である。図３は図１で示した紙幣入出金口１の蓋部分の簡単な構造図である。図４は本発明に関係するＡＴＭのシステム図である。
【００１９】
図１で示した現金自動取引装置の紙幣入出金口１の内部に図２で示した光源２１となる電球あるいは蛍光灯を取りつける。また、その近くに閃光を発するためのフラッシュ用光源２５を取りつける。これらの光源２１、２５は１つの光源で両者の機能を持つものがあるならばそれでもよいものとする。
【００２０】
図３で示した紙幣入出金口蓋３１が閉じられている時は図２の光源２１はＯＦＦとなり、図３の紙幣入出金口蓋３１が開かれると図２の光源２１がＯＮとなるように図３の紙幣入出金口蓋３１が入出金口３２と接触する位置にリミットスイッチ３３などを設け、紙幣入出金口蓋３１の開閉に伴い光源がＯＮ・ＯＦＦされるような回路などを持つようにする。この図２で示した光源２１から出される光が図２で示された反射鏡２２に光が反射し、使用者の顔２４を照らすことができる位置に光源２１を取りつける。
【００２１】
図２の光源２１がＯＮとなると図４で示した光源制御部４３より、全体制御部５２へ撮影信号を送信する。
【００２２】
撮影信号を受け取った全体制御部５２は、防犯カメラ制御部４９を介して防犯カメラ５１の撮影した画像を画像記憶部４８と通信部４７へ送信する。通信部４７に送信された画像は監視センタ４６へ送信される。
【００２３】
図１で示した、ＡＴＭ内部に設置された衝撃センサ２に大きな衝撃が加わると、フラッシュ発光指示信号が図４の全体制御部５２から入出金口制御部４２と光源制御部４３および防犯カメラ制御部４９に伝えられる。
【００２４】
さらに全体制御部５２は通信部４７より監視センタ４６に異常事態信号を送信する。この異常事態信号を受け取った監視センタは警備員の派遣や警察への通報など第一次処置を行う。
【００２５】
フラッシュ発光指示信号を受け取った入出金口制御部４２は入出金口蓋４１を開くよう信号を送信し、光源制御部４３はフラッシュ用光源４５から閃光を発するよう信号を送る。ここで、大きな衝撃とはＡＴＭが一般成人男性に蹴られた程度の衝撃とする。
【００２６】
また、カメラ制御部４９はフラッシュ用光源４５から閃光が発せられた時、防犯カメラ５１で撮影されたその瞬時の静止画とその前後の時間の動画を全体制御部５２に送信する。
【００２７】
全体制御部５２は防犯カメラ制御部４９より閃光を発したときの静止画及びその前後の動画を画像記憶部４８と通信部４７より監視センタ４６送信する。
【００２８】
静止画や動画を受信した監視センタ４６は、ＡＴＭが受けた強い衝撃が犯罪であるならば、犯罪の証拠として警察に提出するなど、犯罪解決に向けての処置を行う。
【００２９】
【発明の効果】
本発明ではＡＴＭ利用者の背後から照明の光などにより、ＡＴＭに搭載された防犯カメラには利用者の顔が暗く写ってしまうのを明るい画像で撮影できるようにするために、入出金口内部に光源を設け、取り忘れ防止用にＡＴＭに搭載されている鏡のような反射物に光を反射させることにより、利用者の顔を撮影する。
【００３０】
本発明では直接に使用者に光を当てないため、使用者に監視されているという不快な気分を感じさせること無く、使用者の顔を明るくし、防犯カメラで撮影することができるようになる。
【００３１】
また、本発明では衝撃を受けたとき、閃光を発することにより、犯行現場を明確に撮影できるほか、その閃光によって犯罪者を驚かせ、犯罪を防止することができる可能性がある。
【図面の簡単な説明】
【図１】防犯用ライト制御機能を持つ現金自動取引装置。
【図２】入出金口内部の内部が利用者の顔を照らす模式図。
【図３】入出金口の蓋の開閉で光源を制御する模式図。
【図４】防犯用ライト制御機能を持つ現金自動取引装置のシステム図。
【符号の説明】
１…紙幣入出金口、２…衝撃センサ、３…反射鏡、４…防犯カメラ。
【図１】
2004178467.tif 000003
【図２】
2004178467.tif 000004
【図３】
2004178467.tif 000005
【図４】
2004178467.tif 000006